(57)【要約】【課題】文字盤の動きに変化を与え、装飾性及び興趣性を向上し得るとともに、時刻を表す時計のみならず、経過時間や残り時間を表示するタイマーとしても使用し得る時計を提供する。【解決手段】支持フレーム２に保持されたムーブメント３から時間経過に伴って回転する計時軸を備えた回転軸部８を前方に向けて突出し、該計時軸に設けられた計時用歯車１０に時間を示す指標１４が表示された環状の計時用文字盤１２を吊持して回転駆動するようにした。また、計時用文字盤１２を蓄光性及び透光性の素材で形成し、該計時用文字盤１２に裏面から光を照射する光源（発光ダイオード１６）を設けた。【選択図】図１
0003146856.tif 000002
【実用新案登録請求の範囲】
【請求項１】
支持フレームにより所定高さ位置に保持されたムーブメントと、
ムーブメントから前方に向けて突出され、時間経過に伴って回転する計時軸を備えた回転軸部と、
計時軸に設けられた計時用歯車と、
平板環状に形成され、その内周縁に計時用歯車と噛合するラック歯が連続状に周設されるとともに、時間を示す指標が表示された計時用文字盤と
を備え、
計時用文字盤が、そのラック歯を計時用歯車に噛合することにより回転軸部に吊持された状態で回転駆動されることを特徴とする時計。
【請求項２】
計時用文字盤が蓄光性及び透光性の素材で形成され、該計時用文字盤に裏面から光を照射する光源が設けられていることを特徴とする請求項１記載の時計。
【請求項３】
光源が、紫外線を照射する発光ダイオードであることを特徴とする請求項２記載の時計。
【請求項４】
ムーブメントから前方に向けて突出され、時間単位、分単位、秒単位の何れかで回転する複数の計時軸を同心状に備えた回転軸部と、
各計時軸に設けられた計時用歯車と、
平板環状に形成され、その内周縁に各計時用歯車と夫々噛合するラック歯が連続状に周設された複数の計時用文字盤と
を備えたことを特徴とする請求項１乃至請求項３の何れか１項に記載の時計。
【考案の詳細な説明】
【技術分野】
【０００１】
本考案は、置き時計又は掛け時計として使用する装飾性及び興趣性に富んだ時計に関する。
【背景技術】
【０００２】
時計は、文字盤上を時針，分針，秒針が回転するアナログ式の時計や、数字により時刻を表示するデジタル式の時計が一般的である。
【０００３】
このような従来の時計は、機能性が重視されるため、デザインや彩色が多少違っても基本的形態は殆ど同じであり、装飾性及び興趣性に乏しいものであった。
【０００４】
そこで、このような時計としての既成概念にとらわれず、アナログ式であっても時間を示す針を無くした装飾用の時計が提案されている。これは、文字若しくは模様で時間を表示した透明な装飾文字盤を最前面に配設し、その後部に秒単位で回転する模様を付した小円盤と、これより直径が大きく分単位で回転する円盤と、さらにこれより直径が大きく時間単位で回転する円盤とを順に重ねて、これらの円盤の裏面中央部に時計用駆動軸を連結して構成したり（特許文献１参照）、或いは１時間単位の時間が表示されて１２時間周期で１回転する第一の文字盤と、これより直径が小さく１０分単位の時間が表示されて６０分周期で１回転する第二の文字盤と、さらにこれより直径が小さく１分単位の時間が表示されて１０分周期で１回転する第三の文字盤とを順に重ねて、これらの文字盤の裏面中央部に時計用駆動軸を連結した構成となっている（特許文献２参照）。
【特許文献１】特開平１０−１４２３５４号公報
【特許文献２】実開平５−６９６９２号公報
【考案の開示】
【考案が解決しようとする課題】
【０００５】
上述した先行技術にあっては、アナログ式の針に代えて複数の円盤（文字盤）が、その裏面中央部に連結された時計用駆動軸を中心として同じ場所を個々に回転するだけであるため、見た目の変化に乏しく、装飾性及び興趣性を飛躍的に向上させるには至らないものであった。
【０００６】
本考案は、かかる従来の実状に鑑みてなされたものであり、文字盤の動きに変化を与え、装飾性及び興趣性を向上し得るとともに、時刻を表す時計のみならず、経過時間や残り時間を表示するタイマーとしても使用し得る時計を提供することを目的とするものである。
【課題を解決するための手段】
【０００７】
本考案は、支持フレームにより所定高さ位置に保持されたムーブメントと、該ムーブメントから前方に向けて突出され、時間経過に伴って回転する計時軸を備えた回転軸部と、計時軸に設けられた計時用歯車と、平板環状に形成され、その内周縁に計時用歯車と噛合するラック歯が連続状に周設されるとともに、時間を示す指標が表示された計時用文字盤とを備え、該計時用文字盤が、そのラック歯を計時用歯車に噛合することにより回転軸部に吊持された状態で回転駆動されることを特徴とする時計である。
【０００８】
ここで、計時用文字盤は、１２時間または２４時間周期で１回転するように構成され得る。また、計時用文字盤は、ラック歯が計時用歯車に対して上方から着脱可能に噛合され、その噛合部を支点として吊持される。また、平板環状の計時用文字盤は、回転駆動により姿勢的変化を生じさせ得るように、その外形を四角形，五角形，楕円形等の異形状とすることが好ましい。また、計時用文字盤に設けられる時間を示す指標は、平板環状の計時用文字盤を周方向に１２等分または２４等分した位置に数字を用いて表示することが好ましく、さらにその等分された円周領域を６等分した位置に目盛を用いて表示することが好ましい。また、該指標としての数字は、通常は右回りに昇順とするが、これ以外に右回りに降順としてもよい。
【０００９】
前記時計にあって、計時用文字盤が蓄光性及び透光性の素材で形成され、該計時用文字盤に裏面から光を照射する光源が設けられている構成が提案される。ここで、該光源は、強調表示したい現在時刻等を示す指標の裏面に光を照射する位置に配設される。
【００１０】
また、前記光源が、紫外線を照射する発光ダイオードである構成が提案される。
【００１１】
さらに、前記時計にあって、ムーブメントから前方に向けて突出され、時間単位、分単位、秒単位の何れかで回転する複数の計時軸を同心状に備えた回転軸部と、各計時軸に設けられた計時用歯車と、平板環状に形成され、その内周縁に各計時用歯車と夫々噛合するラック歯が連続状に周設された複数の計時用文字盤とを備えている構成が提案される。かかる構成にあって、複数の計時軸は、全ての計時軸が時間単位または分単位または秒単位で回転する場合を排除するものではない。即ち、例えば、時間単位で回転する計時軸を複数備えた場合には、時差の異なる地球上の複数地域の時刻を夫々表示させることが可能となる。
【考案の効果】
【００１２】
本考案にかかる時計は、上述したように、支持フレームにより所定高さ位置に保持されたムーブメントと、該ムーブメントから前方に向けて突出され、時間経過に伴って回転する計時軸を備えた回転軸部と、計時軸に設けられた計時用歯車と、平板環状に形成され、その内周縁に計時用歯車と噛合するラック歯が連続状に周設されるとともに、時間を示す指標が表示された計時用文字盤とを備え、該計時用文字盤が、そのラック歯を計時用歯車に噛合することにより回転軸部に吊持された状態で回転駆動されるものであるので、計時用文字盤の形状と回転周期及び回転方向、指標の表示形態を適宜設定することにより、種々の使用態様が可能である。例えば、平板環状の計時用文字盤の外形を四角形等の異形状とし、該計時用文字盤を周方向に１２等分する位置に指標を右回りに昇順で表示して、左回りに１２時間周期で１回転させることにより、計時用文字盤が回転軸部に吊持された状態で１２時間周期で左回りに回転するので、その回転に伴って最上部に移動する指標によって１２時間表示の時計として大まかな時刻を知ることができる。また、計時用文字盤がラック歯と計時用歯車との噛合部を支点として吊持された状態で回転するので、その回転に伴って異形状の計時用文字盤の姿勢が刻々と変化することにより、見た目の興趣性を高めることができるとともに、奇抜なデザインの時計として室内を装飾する装飾性に優れたものとなる。また、計時用文字盤は、内周縁に周設されたラック歯が計時用歯車に対して上方から着脱可能に噛合されているので、その噛合位置の変更や計時用文字盤の交換を簡単に行うことができる。従って、計時用文字盤の噛合位置をずらして指標の零位置にセットすることにより、その時点からの経過時間を表示するタイマーとして使用することができる。また、指標が右回りに降順で表示された計時用文字盤と交換すれば、残り時間を表示するタイマーとして機能するものとなる。
【００１３】
前記時計にあって、計時用文字盤が蓄光性及び透光性の素材で形成され、該計時用文字盤に裏面から光を照射する光源が設けられている構成にあっては、蛍光灯や白熱灯等の紫外線を含む照明下で計時用文字盤が励起し、暗所で発光するので、夜間の消灯後においても計時用文字盤の視認が可能となる。また、光源によって裏面から光を照射することにより、現在時刻等を示す指標を強調表示することができる。
【００１４】
また、前記光源が、紫外線を照射する発光ダイオードである構成にあっては、計時用文字盤の励起効率が向上し、高輝度及び長残光時間で発光させることができる。
【００１５】
さらに、前記時計にあって、ムーブメントから前方に向けて突出され、時間単位、分単位、秒単位の何れかで回転する複数の計時軸を同心状に備えた回転軸部と、各計時軸に設けられた計時用歯車と、平板環状に形成され、その内周縁に各計時用歯車と夫々噛合するラック歯が連続状に周設された複数の計時用文字盤とを備えている構成にあっては、例えば、複数の計時軸を、時間単位、分単位、秒単位で夫々回転する３本の計時軸とし、時間表示用に構成された計時用文字盤と、分表示用に構成された計時用文字盤と、秒表示用に構成された計時用文字盤とを、夫々対応する各計時軸の計時用歯車に噛合して回転駆動させることにより、各計時用文字盤が示す時間、分、秒によって時刻を正確に知ることができる。また、３本の計時軸の内、２本を時間単位で、残りの１本を分単位で回転する計時軸とし、時間表示用に構成された２個の計時用文字盤と、分表示用に構成された計時用文字盤とを、夫々対応する各計時軸の計時用歯車に噛合して回転駆動させるようにすれば、時差の異なる地球上の２地域の時刻を時、分で表示させることができる。
【考案を実施するための最良の形態】
【００１６】
以下に、本考案にかかる時計の第一実施例を、図１〜図６に基づいて説明する。
時計１は、図１，図２に示すように、支持フレーム２により所定高さ位置に保持されたムーブメント３を備えている。該ムーブメント３は時計用作動機構を構成するものであって、乾電池からなる電気的駆動源によって駆動される。尚、この電気的駆動源としては、ＡＣアダプターを介して所定電圧の直流電流に変換される家庭用交流電源や太陽電池パネルを用いることも可能である。前記支持フレーム２は、帯板状の金属や合成樹脂が素材に用いられており、水平状の下部支持片部２ａと該下部支持片部２ａの前端から立ち上げられた垂直片部２ｂとによって断面略倒Ｌ字形に形成されている。ここで、垂直片部２ｂの上端部２ｃは、その中間高さ位置に設けられた後方傾斜部２ｄによって、下部支持片部２ａの前端より後方に偏倚した位置に立設されており、これによって、設置時における支持フレーム２の安定性が得られるようになっている。
【００１７】
垂直片部２ｂの上端部２ｃの略中央部には、図３に示すように、取付孔４が形成されており、該取付孔４には、上端部２ｃの背面側に配置されたムーブメント３から前方に突設された取付筒５が挿通されている。該取付筒５の外周には雄螺子６が刻設されており、該雄螺子６にその突出端側から螺合されるナット７の緊締作用を介してムーブメント３が上端部２ｃの背面側に固定されている。
【００１８】
また、ムーブメント３からは、時間経過に伴って左回りに回転する計時軸９を備えた回転軸部８が前記取付筒５内に挿通された状態で前方に向けて突出されており、該計時軸９の先端には同軸回転する計時用歯車１０が装着されている。ここで、計時軸９は、ムーブメント３内の歯車機構（図示省略）により時間単位、例えば１時間で１回転するように設けられており、該計時軸９の回転によって計時用歯車１０も１時間で左回りに１回転するようになっている。また、該計時用歯車１０はその外周に所定個数（例えば１２個）の歯１１が連続状に周設されている。尚、この歯１１の数は特に限定されず、周方向に整一に連続して後述するラック歯１３と滑らかに噛合可能であればよい。
【００１９】
前記回転軸部８には、計時用文字盤１２が吊持されている。計時用文字盤１２は、図４（Ａ）に示すように、外形を四角形とした平板環状に形成されており、その内周縁に前記計時用歯車１０の歯１１と噛合するラック歯１３が連続状に周設されている。この計時用文字盤１２の前面には、該計時用文字盤１２を周方向に１２等分した位置に、時間を示す指標１４が数字を用いて右回りに昇順で表示されている。さらにその等分された円周領域を６等分した位置に目盛が表示されている。そして、図５に示すように、この隣接する数字で示された各指標１４，１４間のラック歯１３の溝数ｎが、上述した計時用歯車１０の歯１１の数（例えば１２個）と同数となるように設定されている。これにより、ラック歯１３を計時用歯車１０に上方から噛合して、計時用文字盤１２を回転軸部８によって回転駆動することにより、該計時用文字盤１２が回転軸部８に吊持された状態で１２時間周期で左回りに１回転するように構成されている。
【００２０】
また、計時用文字盤１２は、蓄光性及び透光性の素材により形成されている。蓄光性とは、太陽光，蛍光灯，白熱灯等の紫外線を含む光の照射により励起（エネルギーを蓄えること）して暗所で発光する性質であり、微粒子状の蓄光材を、溶融した透光性の合成樹脂内に分散して射出成形した合成樹脂板や、或いは微粒子状の蓄光材を含有させた透光性樹脂バインダーを透光性の合成樹脂板に塗布したものを計時用文字盤１２の素材としている。ここで、蓄光材としては、例えば、酸化アルミニウムを母体とし、他の酸化物と希土類元素等が結合されたものを粉砕した微粒子が好適に用いられ得る。かかる蓄光材を用いた蓄光性合成樹脂板は、４０Ｗの蛍光灯の光を高さ２ｍから１時間照射すると最大に励起し、１時間経過後で１４７ｍｃｄ／ｍ２程度、６時間経過後でも１４ｍｃｄ／ｍ２程度の残光輝度を維持するものとなっている。また、蓄光材を用いた蓄光性合成樹脂板は、イエローグリーン、ブルー、パープルの３色が形成可能であり、これらの色を適宜選択することができる。
【００２１】
また、支持フレーム２の垂直片部２ｂの上端部２ｃには、前記回転軸部８の直上に位置させて透孔１５（図３参照）が開口されており、該透孔１５には紫外線を照射可能な発光ダイオード１６が背面側から前面側に突出するようにして装着されている。該発光ダイオード１６は、計時用文字盤１２に表示された最上部の指標１４に対応する位置に設けられており、裏面から光を照射することによって、現在時刻等を示す指標１４を強調表示することができるようになっている。そして、該発光ダイオード１６によって、計時用文字盤１２に裏面から光を照射する光源が構成されている。また、支持フレーム２の下部支持片部２ａ上には、乾電池を収納した電池ケース１７が装着されており、該電池ケース１７と発光ダイオード１６とが導電線（図示省略）により電気的に接続されている。電池ケース１７は電源スイッチ１８を備えており、該電源スイッチ１８のＯＮ／ＯＦＦ操作を介して、必要に応じて発光ダイオード１６を点灯または消灯させ得るようになっている。尚、発光ダイオード１６の電源としては、乾電池に代えて、ＡＣアダプターを介して所定電圧の直流電流に変換される家庭用交流電源や太陽電池パネルを用いることも可能である。この場合には、上述したムーブメント３を駆動するためのＡＣアダプター或いは太陽電池パネルを共用することができる。また、計時用文字盤１２に裏面から光を照射する光源は、発光ダイオード１６に代えて白熱豆電球を用いることも可能である。
【００２２】
次に、かかる構成からなる時計１の使用方法について説明する。時計１を使用するには先ず時刻合わせを行う。上述したように、回転軸部８に吊持された計時用文字盤１２は、ラック歯１３が計時用歯車１０に上方から噛合されているだけであるので、その噛合位置の変更が可能であり、現在時刻が例えば１時２０分であれば、図６に示すように、「１」の指標１４から右に２つ目の目盛が表示された部分にあるラック歯１３を計時用歯車１０の歯１１に上方から噛合させることにより、時刻合わせを簡単に行うことができる。そして、この状態で計時用文字盤１２を回転軸部８によって回転駆動することにより、該計時用文字盤１２が回転軸部８に吊持された状態で１２時間周期で左回りに１回転するので、その回転に伴って最上部に移動する指標１４によって１２時間表示の時計として大まかな時刻を知ることができる。また、この時、発光ダイオード１６を点灯させておくことにより、計時用文字盤１２の裏面から光が照射され、現在時刻等を示す指標１４を強調表示することができる。
【００２３】
また、計時用文字盤１２がラック歯１３と計時用歯車１０との噛合部を支点として吊持された状態で回転するので、その回転に伴って異形状の計時用文字盤１２の姿勢が刻々と変化することにより、見た目の興趣性を高めることができるとともに、奇抜なデザインの時計として室内を装飾する装飾性に優れたものとなる。
【００２４】
さらに、計時用文字盤１２が、蓄光性及び透光性の素材で形成されていることにより、夜間に点灯される室内の蛍光灯や白熱灯の紫外線によって励起され、消灯後に高輝度で長時間発光するため、暗闇の中でも時刻の視認が可能であるとともに、計時用文字盤１２が暗闇の中で発光した状態で回転するので、幻想的雰囲気が醸し出され、見た目の興趣性及び装飾性をさらに向上させることができる。また、蓄光材は、時間の経過に伴って輝度が低下するが、紫外線を照射する発光ダイオード１６を点灯させておくことにより、計時用文字盤１２の裏面に照射される紫外線によって、その照射部分が効率よく励起されて、高輝度の発光作用を回復させることができる。
【００２５】
また、上述したように、計時用文字盤１２は、内周縁に周設されたラック歯１３を計時用歯車１０に対して上方から着脱可能に噛合させるようにしているため、その噛合位置の変更や計時用文字盤１２の交換を簡単に行うことができる。従って、計時用文字盤１２の噛合位置をずらして指標１４の零位置（数字の１２の位置）にセットすることにより、その時点からの経過時間を表示するタイマーとして使用することができる。また、図４（Ｂ）に示すように、指標１４が右回りに降順で表示された計時用文字盤１２と交換すれば、残り時間を表示するタイマーとして機能するものとなる。
【００２６】
尚、上述した第一実施例では、計時軸９を１時間で左回りに１回転するように設けた場合について説明したが、これに代えて、計時軸９を１時間で左回りに１／２回転するように設けるとともに、周方向に２４等分した位置に時間を示す指標１４が数字を用いて右回りに昇順で表示された計時用文字盤１２を用いることにより、２４時間表示の時計として使用することができる。また、計時用文字盤１２の外形を四角形としたが、これ以外に五角形，楕円形等の異形状であってもよく、このように円形以外の異形状にすれば、計時用文字盤１２の回転駆動により姿勢的変化を生じさせることができる。
【００２７】
図７〜図９は本考案にかかる時計の第二実施例を示し、この第二実施例は３個の計時用文字盤１２ａ，１２ｂ，１２ｃによって時間、分、秒を表示し得るようにしたものである。図８に示すように、ムーブメント３から前方に向けて突出された回転軸部８は、同心状に配設された、時間単位で左回りに回転する計時軸９ａと、分単位で左回りに回転する計時軸９ｂと、秒単位で左回りに回転する計時軸９ｃとを備えており、各計時軸９ａ，９ｂ，９ｃの先端には計時用歯車１０ａ，１０ｂ，１０ｃが夫々同軸回転するように装着されている。ここで、計時軸９ａは時間単位、例えば１時間で１回転するように設けられており、該計時軸９ａの回転によって計時用歯車１０ａも１時間で左回りに１回転するようになっている。一方、計時軸９ｂは分単位、例えば１分間で１／５回転するように設けられており、該計時軸９ｂの回転によって計時用歯車１０ｂも１分間で左回りに１／５回転するようになっている。また、計時軸９ｃは秒単位、例えば１秒間で１／５回転するように設けられており、該計時軸９ｃの回転によって計時用歯車１０ｃも１秒間で左回りに１／５回転するようになっている。また、各計時用歯車１０ａ，１０ｂ，１０ｃの外周には所定個数の連続した歯１１ａ，１１ｂ，１１ｃが夫々周設されている。
【００２８】
前記計時用歯車１０ａには、時間表示用に構成された計時用文字盤１２ａが、その内周縁に周設されたラック歯１３ａと歯１１ａとの噛合を介して吊持されている。この計時用文字盤１２ａの前面には、図９（Ａ）に示すように、該計時用文字盤１２ａを周方向に１２等分した位置に、時間を示す指標１４ａが数字を用いて右回りに昇順で表示されている。そして、この隣接する数字で示された各指標１４ａ，１４ａ間のラック歯１３ａの溝数が、上述した計時用歯車１０ａの歯１１ａの数と同数となるように設定されている。これにより、ラック歯１３ａを計時用歯車１０ａに上方から噛合した状態で計時用文字盤１２ａを回転駆動することにより、該計時用文字盤１２ａが１２時間周期で左回りに１回転するように構成されている。
【００２９】
また、前記計時用歯車１０ｂには、分表示用に構成された計時用文字盤１２ｂが、その内周縁に周設されたラック歯１３ｂと歯１１ｂとの噛合を介して吊持されている。この計時用文字盤１２ｂの前面には、図９（Ｂ）に示すように、該計時用文字盤１２ｂを周方向に１２等分した位置に、分単位の時間を示す指標１４ｂが５の倍数の数字を用いて右回りに昇順で表示されており、さらにその等分された円周領域を５等分した位置に目盛が表示されている。そして、この隣接する数字で示された各指標１４ｂ，１４ｂ間のラック歯１３ｂの溝数が、上述した計時用歯車１０ｂの歯１１ｂの数と同数となるように設定されている。これにより、ラック歯１３ｂを計時用歯車１０ｂに上方から噛合した状態で計時用文字盤１２ｂを回転駆動することにより、該計時用文字盤１２ｂが６０分周期で左回りに１回転するように構成されている。即ち、計時用歯車１０ｂは５分で１回転し、その１回転毎に計時用文字盤１２ｂが１／１２回転するため、計時用歯車１０ｂが６０分で１２回転することによって、計時用文字盤１２ｂが６０分で１回転することとなる。
【００３０】
また、前記計時用歯車１０ｃには、秒表示用に構成された計時用文字盤１２ｃが、その内周縁に周設されたラック歯１３ｃと歯１１ｃとの噛合を介して吊持されている。この計時用文字盤１２ｃの前面には、図９（Ｃ）に示すように、該計時用文字盤１２ｃを周方向に１２等分した位置に、秒単位の時間を示す指標１４ｃが５の倍数の数字を用いて右回りに昇順で表示されており、さらにその等分された円周領域を５等分した位置に目盛が表示されている。そして、この隣接する数字で示された各指標１４ｃ，１４ｃ間のラック歯１３ｃの溝数が、上述した計時用歯車１０ｃの歯１１ｃの数と同数となるように設定されている。これにより、ラック歯１３ｃを計時用歯車１０ｃに上方から噛合した状態で計時用文字盤１２ｃを回転駆動することにより、該計時用文字盤１２ｃが６０秒周期で左回りに１回転するように構成されている。即ち、計時用歯車１０ｃは５秒で１回転し、その１回転毎に計時用文字盤１２ｃが１／１２回転するため、計時用歯車１０ｃが６０秒で１２回転することによって、計時用文字盤１２ｃが６０秒で１回転することとなる。
【００３１】
前記計時用文字盤１２ａ，１２ｂ，１２ｃは、蓄光性及び透光性を備えた素材によって形成されており、重なり合った状態でも前方からの視認が可能なように順にその大きさを小さくして形成されている。また、計時用文字盤１２ａ，１２ｂ，１２ｃは、図９（Ａ）〜（Ｃ）に示すように、相互に形状が異なる四角形，五角形，楕円形等の異形状となっている。尚、計時用文字盤１２ａ，１２ｂ，１２ｃの外形は、全て同じ形の異形状とすることも可能である。また、計時用文字盤１２ａ，１２ｂ，１２ｃの色は、上述したイエローグリーン、ブルー、パープルの３色から適宜選択され得る。その他、第一実施例と共通する構成部分については、第一実施例と同一の符号を付して重複説明を省略する。
【００３２】
かかる構成にあって、計時用文字盤１２ａ，１２ｂ，１２ｃの各ラック歯１３ａ，１３ｂ，１３ｃと計時用歯車１０ａ，１０ｂ，１０ｃとの噛合位置を現在時刻に合わせて変更して時刻合わせを行うと、その後の時間経過に伴って、各計時用文字盤１２ａ，１２ｂ，１２ｃが回転駆動され、その回転に伴って最上部に移動する指標１４ａ，１４ｂ，１４ｃによって、時間、分、秒からなる正確な時刻を知ることができる。
【００３３】
また、回転軸部８から時間表示用に構成された計時用文字盤１２ａと、秒表示用に構成された計時用文字盤１２ｃとを取り外し、分表示用に構成された計時用文字盤１２ｂの噛合位置をずらして指標１４ｂの零位置（数字の６０の位置）にセットすることにより、その時点からの経過時間を分単位で表示するタイマーとして使用することができる。また、指標１４ｂが右回りに降順で表示された計時用文字盤（図示省略）を別途形成しておき、必要に応じて交換すれば、残り時間を分単位で表示するタイマーとして機能するものとなる。
【００３４】
尚、上述した第二実施例では、回転軸部８を、時間単位で左回りに回転する計時軸９ａと、分単位で左回りに回転する計時軸９ｂと、秒単位で左回りに回転する計時軸９ｃとを備えるものとしたが、これに代えて、３本の計時軸の内、２本を時間単位で、残り１本を分単位で回転する計時軸とし、時間表示用に構成された２個の計時用文字盤と、分表示用に構成された計時用文字盤とを、夫々対応する各計時軸の計時用歯車に噛合して回転駆動させるようにすれば、時差の異なる地球上の２地域の時刻を時、分で表示させることができる。また、回転軸部８が備える計時軸は、３本に限定されるものではなく、例えば時間単位で回転する２本の計時軸と、分単位で回転する１本の計時軸と、秒単位で回転する１本の計時軸とを備えるものとすれば、時差の異なる地球上の２地域の時刻を時、分、秒で表示させることができる。また、回転軸部８は、時間単位で回転する１本の計時軸と、分単位で回転する１本の計時軸とを備えるものとすることもでき、この場合には時刻を時、分で表示し得るものとなる。
【図面の簡単な説明】
【００３５】
【図１】第一実施例にかかる時計１の外観斜視図である。
【図２】同上の時計１の側面図である。
【図３】同上の時計１の回転軸部８部分を示す拡大側断面図である。
【図４】（Ａ）は指標１４が右回りに昇順で表示された計時用文字盤１２の正面図、（Ｂ）は指標１４が右回りに降順で表示された計時用文字盤１２の正面図である。
【図５】計時用歯車１０とラック歯１３との噛合関係を示す部分拡大図である。
【図６】時刻合わせの説明図である。
【図７】第二実施例にかかる時計１の正面図である。
【図８】同上の時計１の回転軸部８部分を示す拡大側断面図である。
【図９】（Ａ）は時間表示用に構成された計時用文字盤１２ａ、（Ｂ）は分表示用に構成された計時用文字盤１２ｂ、（Ｃ）は秒表示用に構成された計時用文字盤１２ｃを夫々示す正面図である。
【符号の説明】
【００３６】
１  時計
２  支持フレーム
３  ムーブメント
８  回転軸部
９，９ａ，９ｂ，９ｃ  計時軸
１０，１０ａ，１０ｂ，１０ｃ  計時用歯車
１２，１２ａ，１２ｂ，１２ｃ  計時用文字盤
１３，１３ａ，１３ｂ，１３ｃ  ラック歯
１４，１４ａ，１４ｂ，１４ｃ  指標
１６  発光ダイオード（光源）
【図１】
0003146856.tif 000003
【図２】
0003146856.tif 000004
【図３】
0003146856.tif 000005
【図４】
0003146856.tif 000006
【図５】
0003146856.tif 000007
【図６】
0003146856.tif 000008
【図７】
0003146856.tif 000009
【図８】
0003146856.tif 000010
【図９】
0003146856.tif 000011